(57)【要約】【課題】  停電時、消灯時、夜間等においても適切にガイドの役割を果たすことができると共に、工事のコストやランニングコストも低減できる発光性ガイド部材を提供する。【解決手段】  この発光性ガイド部材においては、長尺状のガイド部材本体１０の上面に設けられたガイド材の適当な位置に、蓄光性の透光材料で構成された蓄光部２２を設けると共に、この蓄光部２２に光を照射する発光装置３０を蓄光部２２の近傍に設けた。【選択図】  図１
2005083155.tif 000002
【特許請求の範囲】
【請求項１】
長尺状のガイド部材本体の上面におけるガイド材の適当な位置に蓄光性の透光材料で構成された蓄光部が設けられると共に、この蓄光部に光を照射する発光装置が蓄光部の近傍に設けられてなることを特徴とする発光性ガイド部材。
【請求項２】
請求項１に記載した発光性ガイド部材において、上記のガイド部材本体に配線用の空間部が形成されていることを特徴とする発光性ガイド部材。
【請求項３】
請求項１又は請求項２に記載した発光性ガイド部材において、上記の発光装置が蓄光部の下に設けられていることを特徴とする発光性ガイド部材。
【請求項４】
請求項１〜３の何れか１項に記載した発光性ガイド部材において、上記の発光装置にＬＥＤを用いたことを特徴とする発光性ガイド部材。
【発明の詳細な説明】
【技術分野】
【０００１】
この発明は、ガイドや滑り止め等の目的で、階段の段鼻部、床の段部、床面等に取り付けられるガイド部材に係り、特に、停電時、消灯時、夜間等においても光を発して適切にガイドの役割を果たす発光性ガイド部材に関するものである。
【背景技術】
【０００２】
従来より、階段や床の段差を容易に識別できるようにすると共にスリップによる転倒を防止するために、階段の段鼻部や床の段部にガイド部材を取り付けるようにしたり、歩行を誘導するために床面にガイド部材を取り付けることが行われている。
【０００３】
また、階段等の段差部においては、消灯時や夜間等の暗視野下において、踏み外しによる転倒事故を防止するため、段差部等の足元に照明装置を配置したり、手すりに照明装置を設ける等の工夫も行われている。
【０００４】
しかし、このように段差部等の足元に照明装置を配置したり、手すりに照明装置を設けるためには、工事が大掛かりになってコストが高くつくと共に、消費電力も大きくなってランニングコストも高くつき、また停電時等には、このような照明装置が消灯してしまい、十分なガイド機能を果たすことができないという問題があった。
【発明の開示】
【発明が解決しようとする課題】
【０００５】
この発明は、ガイドや滑り止め等の目的で、階段の段鼻部、床の段部、床面等に取り付けられるガイド部材における上記のような問題を解決することを課題とするものであり、停電時、消灯時、夜間等においても適切にガイドの役割を果たすことができると共に、工事のコストやランニングコストも低減できる発光性ガイド部材を提供することにある。
【課題を解決するための手段】
【０００６】
この発明における発光性ガイド部材においては、上記のような課題を解決するため、長尺状のガイド部材本体の上面に設けられたガイド材の適当な位置に、蓄光性の透光材料で構成された蓄光部を設けると共に、この蓄光部に光を照射する発光装置を蓄光部の近傍に設けるようにしたのである。
【０００７】
そして、この発明における発光性ガイド部材においては、消灯時や夜間等のように光によるガイドが必要な場合には、上記の発光装置を発光させ、この光を上記の蓄光部を通して照射させ、光によるガイドを行うようにする。
【０００８】
また、この発明における発光性ガイド部材においては、停電時等において発光装置における発光が停止した場合にも、上記の蓄光性の透光材料で構成された蓄光部が、発光装置の停止後もある程度の時間、光を発しつづけるようになり、適切にガイド機能を果たすことができる。
【０００９】
また、この発明における発光性ガイド部材において、ガイド部材本体に配線用の空間部を設けると、発光装置を設けるための工事も簡単に行えるようになる。
【００１０】
また、この発明における発光性ガイド部材において、発光装置を蓄光部の下に設けると、発光装置から照射された光が蓄光部を通して効率よく外部に導かれるようになると共に、この蓄光部に発光装置から照射された光のエネルギーが効率よく吸収されて蓄積されるようになり、発光装置から照射させる光を強くしなくても、この蓄光部から長時間に渡って適切な光が照射されてガイド機能を果たすようになる。
【００１１】
また、この発明における発光性ガイド部材において、上記の発光装置にＬＥＤを用いると、低電力で発光させることができると共に、上記の蓄光部に対応した位置に設けることも容易に行えるようになる。
【発明の効果】
【００１２】
この発明における発光性ガイド部材においては、上記のように消灯時や夜間等のように光によるガイドが必要な場合に、上記の発光装置を発光させ、この光を上記の蓄光部を通して照射させることにより、消灯時や夜間等においても光によるガイドが適切に行えるようになると共に、停電時等において発光装置における発光が停止した場合にも、蓄光性の透光材料で構成された蓄光部が発光装置の停止後もある程度の時間、光を発しつづけるようになり、適切にガイドの役割を果たすことができるようになる。
【発明を実施するための最良の形態】
【００１３】
以下、この発明の実施形態に係る発光性ガイド部材を添付図面に基づいて具体的に説明する。なお、この発明に係る発光性ガイド部材は、特に下記の実施形態に示したものに限定されるものではなく、その要旨を変更しない範囲において適宜変更して実施できるものである。
【００１４】
この実施形態においては、図１に示すように、階段等の段部１に取り付ける発光性ガイド部材について説明する。
【００１５】
ここで、この実施形態における発光性ガイド部材においては、階段等の段部１に取り付けられる長尺状のガイド部材本体１０の上面に、ガイド材２０が設けられている。
【００１６】
そして、上記のガイド部材本体１０においては、図１に示すように、段部１の角部近傍の踏面１ａ上にビス（図示せず）等で取り付けられる取付部１１の前面側から垂下部１２を下方に延出させ、この垂下部１２により段部１のけこみ面１ｂに取り付けられた敷物２の端部を押え付けて保持するようにしている。
【００１７】
また、この取付部１１の上面に上記のガイド材２０を保持する保持部１３を設け、この保持部１３と取付部１１との間に空間部１４を形成して、この空間部１４において電気コードＬの配線を行うようにすると共に、上記の保持部１３より後方側に延出された押え部１５を設け、この押え部１５により段部１の踏面１ａを取り付けられた敷物２の端部を押え付けて保持するようにしている。
【００１８】
一方、上記のガイド材２０においては、図１及び図２に示すように、その上面に滑り止め用の凸条２１を複数本設けると共に、このガイド材２０の上面の適当な位置に、所要間隔を介して蓄光性の透光材料で構成された蓄光部２２を複数設けるようにしている。
【００１９】
また、このガイド材２０に設けられた各蓄光部２２に対応するようにして、上記のガイド部材本体１０における保持部１３にＬＥＤからなる発光装置３０を設けて、各発光装置３０を各蓄光部２２の下に位置させると共に、上記の空間部１４に配線された電気コードＬに各発光装置３０を接続させて、各発光装置３０を発光させるようにしている。
【００２０】
ここで、上記のガイド部材本体１０としては、一般にアルミニウム等の金属で構成されたものが用いられるが、その材質は、特にこのようなものに限定されない。
【００２１】
また、上記のガイド材２０としては、一般にオレフィン系エラストマー等の各種の樹脂やゴムで構成されたものが用いられるが、その材質は、特にこのようなものに限定されない。
【００２２】
また、上記の蓄光部２２に用いる蓄光性の透光材料としては、透光性の樹脂中に公知の蓄光性材料を添加させたものを用いることができる。そして、このような蓄光性材料としては、例えば、ユウロピウム賦活アルミン酸ストロンチウム（ＳｒＡｌ2Ｏ4：Ｅｕ）、ユウロピウム賦活−ジスプロシウム共賦活アルミン酸ストロンチウム（ＳｒＡｌ2Ｏ4：Eｕ、Ｄｙ）、ユウロピウム賦活−ネオジム共賦活アルミン酸ストロンチウム（ＳｒＡｌ2Ｏ4：Ｅｕ、Ｎｄ）、ユウロピウム賦活−プラセオジム共賦活アルミン酸ストロンチウム（ＳｒＡｌ2Ｏ4：Ｅｕ、Ｐｒ）、ユウロピウム賦活−サマリウム共賦活アルミン酸ストロンチウム（ＳｒＡｌ2Ｏ4：Ｅｕ、Ｓｍ）、ユウロピウム賦活−スズ共賦活アルミン酸ストロンチウム（ＳｒＡｌ2Ｏ4：Ｅｕ、Ｓｎ）、ユウロピウム賦活−ネオジム共賦活アルミン酸カルシウム（ＣａＡｌ2Ｏ4：Ｅｕ、Ｎｄ）、ユウロピウム賦活−サマリウム共賦活アルミン酸カルシウム（ＣａＡｌ2Ｏ4：Ｅｕ、Ｓｍ）、ユウロピウム賦活−ツリウム共賦活アルミン酸カルシウム（ＣａＡｌ2Ｏ4：Ｅｕ、Ｔｍ）、ユウロピウム賦活−ネオジム−ランタン共賦活アルミン酸カルシウム（ＣａＡｌ2Ｏ4：Ｅｕ、Ｎｄ、Ｌａ）、ユウロピウム賦活−ネオジム−ガドリニウム共賦活アルミン酸カルシウム（ＣａＡｌ2Ｏ4：Ｅｕ、Ｎｄ、Ｇｄ）、ユウロピウム賦活−ネオジム−エルビウム共賦活アルミン酸カルシウム（ＣａＡｌ2Ｏ4：Ｅｕ、Ｎｄ、Ｅｒ）、ユウロピウム賦活−マンガン共賦活アルミン酸カルシウム（ＣａＡｌ2Ｏ4：Ｅｕ、Ｍｎ）、ユウロピウム賦活−ビスマス共賦活アルミン酸カルシウム（ＣａＡｌ2Ｏ4：Ｅｕ、Bｉ）、ユウロピウム賦活−ジスプロシウムーマンガン共賦活アルミン酸カルシウム（ＣａＡｌ2Ｏ4：Ｅｕ、Ｄｙ、Ｍｎ）等を用いることができる。
【００２３】
そして、この実施形態における発光性ガイド部材においては、消灯時や夜間等のように光によるガイドが必要な場合に、上記の発光装置３０を発光させ、この光を上記の蓄光部２２を通して照射させるようにする。
【００２４】
また、この実施形態における発光性ガイド部材においては、停電時等において上記の発光装置３０における発光が停止した場合にも、上記の蓄光部２２が発光装置３０の停止後もある程度の時間、光を発しつづけるようになり、適切にガイドの役割を果たすことができる。
【００２５】
なお、この実施形態における発光性ガイド部材においては、ガイド材２０の上面に所要間隔を介して蓄光部２２を複数設けるようにしたが、図３に示すように、ガイド材２０の上面に帯状になった蓄光部２２を設けると共に、図示していないが、上記の発光装置３０として細長い管状のものを用いるようにすることも可能である。
【００２６】
また、この実施形態においては、階段等の段部１に取り付けられる発光性ガイド部材を示したが、図４に示すように、発光性ガイド部材を平坦な床面３に取り付けるようにすることも可能である。
【００２７】
ここで、このような平坦な床面３に取り付ける発光性ガイド部材においては、図４に示すように、上記の図１に示すガイド部材本体１０における垂下部１２をなくして、取付部１１を両側に延出させると共に、上記の保持部１３の両側から押え部１５を延出させるようにする。そして、両側に延出された取付部１１をそれぞれ床面３上にビス（図示せず）等で取り付けると共に、このガイド部材本体１０の両側において床面３上に設けられた各敷物２の端部を、保持部１３の両側から延出された上記の各押え部１５により押え付けるようにして保持させるようにする。
【図面の簡単な説明】
【００２８】
【図１】この発明の実施形態に係る発光性ガイド部材を階段等の段部に取り付ける状態を示した断面説明図である。
【図２】上記の実施形態に係る発光性ガイド部材において、ガイド材に蓄光部を設けた状態を示した概略平面図である。
【図３】上記の実施形態に係る発光性ガイド部材において、蓄光部を変更させたガイド材の概略平面図である。
【図４】この発明の他の実施形態に係る発光性ガイド部材を平坦な床面に取り付ける状態を示した断面説明図である。
【符号の説明】
【００２９】
１０  ガイド部材本体
１４  空間部
２０  ガイド材
２２  蓄光部
３０  発光装置（ＬＥＤ）
【図１】
2005083155.tif 000003
【図２】
2005083155.tif 000004
【図３】
2005083155.tif 000005
【図４】
2005083155.tif 000006